【手続補正書】
【提出日】平成15年10月29日(2003.10.29)
【手続補正１】
【補正対象書類名】特許請求の範囲
【補正対象項目名】全文
【補正方法】変更
【補正の内容】
【特許請求の範囲】
【請求項１】
（ａ）開口部を有するコアと、
（ｂ）前記コアに関して回転可能のビット格納部と、
（ｃ）前記ビット格納部内に備えられた複数のビット格納空間と、
（ｄ）前記コアを通ってスライド可能に移動できる押し棒であって、
（ｅ）該押し棒の先端において磁石手段を有する押し棒と、
（ｆ）前記押し棒の後端におけるハンドグリップと、
（ｇ）前記ビット格納空間のうちの選択された一つの方に移動可能の磁気ビット交換アームと、
（ｈ）開口部を有し、前記コアの先端から前記押し棒に同軸に揃えて延びるシャフトと
を備えるねじ回し器であって、
（ i ）前記押し棒は、伸びた位置と引っ込んだ位置との間で前記コアを通って、且つ、前記ビット格納部を通ってスライド可能に移動でき、
（ ii）前記押し棒が前記伸びた位置にあるとき、
（１）前記押し棒磁石手段は、前記ビット格納空間の後方に配置され、
（２）前記コアは、前記ビット格納空間のうちの隣接する前記選択された一つに前記ビット交換アームを配置するために前記ビット格納部に関して回転可能であり、
（３）前記ビット交換アームは、前記ビット格納空間のうちの前記選択された一つに配置されるツールビットを前記ビット交換アームに磁気によって引きつけて、前記ビット格納空間のうちの前記選択された一つの方に伸ばされ、
（iii）前記伸びた位置から前記引っ込んだ位置への前記押し棒の移動にあたり、
（１）前記コアは、前記ビット格納部に関して回転不可能であり、
（２）前記押し棒は、前記ビット交換アーム、及び前記ビット格納空間のうちの前記選択された一つから離れるとともに前記シャフトに同軸に揃えて前記磁気によって引きつけられたツールビットを押し、
（３）前記押し棒及び前記磁石手段は、該押し棒に前記ツールビットを磁気によって引きつけて、該磁気によって引きつけられたツールビットの後端の方に向けて前方に押され、
（４）前記押し棒は、前記ツールビットが前記シャフトの開放先端を通って突き出るまで、前記シャフトの中に前記ツールビットを前方に押して、前方に押されるねじ回し器。
【請求項２】
前記コアにおいてビット交換スロットをさらに備えることを特徴とする請求項１に記載のねじ回し器。
【請求項３】
前記引っ込んだ位置から前記伸びた位置への前記押し棒の移動にあたり、前記押し棒磁石手段は、前記押し棒が後方に引かれるときに前記押し棒の前記先端における前記ツールビットを磁気によって保持し、これにより隣接する前記ビット交換スロット及び前記ビット格納空間のうちの前記選択された一つに前記ツールビットを配置するために前記シャフトを通って前記ツールビットを後方に引くことを特徴とする請求項２に記載のねじ回し器。
【請求項４】
前記ビット交換アームは、前記コアに旋回するように連結されるとともに前記ビット交換スロットの方に傾けられる磁気レバーアームをさらに備えることを特徴とする請求項３に記載のねじ回し器。
【請求項５】
前記ビット交換スロットの方へ通って前記レバーアームを傾けるために前記レバーアームと前記コアとの間で連結される第１スプリングをさらに備え、前記伸びた位置から前記引っ込んだ位置への前記押し棒の前記移動が前記第１スプリングの傾斜に打ち勝って、前記レバーアームに逆らって前記押し棒の前記先端を押すことを特徴とする請求項４に記載のねじ回し器。
【請求項６】
前記引っ込んだ位置から前記伸びた位置への前記押し棒の前記移動は前記レバーアームから前記押し棒を引き出し、そうすると前記第１スプリングは、前記ビット格納空間のうちの前記選択された一つに前記ツールビットを走らせて、前記ビット交換スロットの方へ通って前記レバーアームを傾けることを特徴とする請求項５に記載のねじ回し器。
【請求項７】
（ａ）前記各ビット格納空間は、前記ビット格納部の先端においてビット格納穴をさらに備え、
（ｂ）前記コアは、前記ビット格納穴のためのツールビットベース支持を形成する前方面を有していることを特徴とする請求項６に記載のねじ回し器。
【請求項８】
（ａ）前記ハンドグリップは外側スリーブをさらに備え、
（ｂ）前記ビット格納部は前記外側スリーブ内で伸縮自在にスライドできる内側スリーブをさらに備えることを特徴とする請求項１に記載のねじ回し器。
【請求項９】
前記内側スリーブにおいて前記コアを回転可能に保持するためのコア保持部材をさらに備えることを特徴とする請求項８に記載のねじ回し器。
【請求項１０】
（ａ）前記押し棒の中心前方部分における前方の先細部と、
（ｂ）止め部と、
（ｃ）前記押し棒の方に前記止め部を傾けるために前記内側スリーブの内表面と前記止め部との間に連結される第２スプリングと
をさらに備えることを特徴とする請求項９に記載のねじ回し器。
【請求項１１】
前記引っ込んだ位置から前記伸びた位置への前記押し棒の前記移動は隣接する前記止め部に前記先細部を配置し、そうすると前記第２スプリングは、前記先細部に前記止め部を傾け、これにより前記押し棒のさらに後方への移動を防ぐことを特徴とする請求項１０に記載のねじ回し器。
【請求項１２】
前記伸びた位置から前記引っ込んだ位置への前記押し棒の前記移動にあたり、前記先細部は、前記止め部と接触し、前記第２スプリングの傾斜に打ち勝ち、また前記押し棒から離れて前記止め部を移動させ、これにより前記押し棒の前方への移動を許すことを特徴とする請求項１１に記載のねじ回し器。
【請求項１３】
前記第２スプリングと前記内側スリーブの前記内表面との間に配置される保持部材をさらに備え、前記ビット格納部に関する前記コアの回転にあたり、前記第２スプリングは、前記内側スリーブの前記内表面に形成された複数の溝のうちの一つに前記保持部材を傾けることを特徴とする請求項１２に記載のねじ回し器。
【請求項１４】
（ａ）前記内側スリーブの外表面において交互に配置される第１の縦に延びる複数の尾根及び溝と、
（ｂ）前記外側スリーブの内表面において交互に配置される第２の縦に延びる複数の尾根及び溝とをさらに備え、
（ i ）前記第１複数尾根は、前記第２複数溝に沿ってスライドできる縦の移動のためにサイズ及び形状が形作られ、
（ ii）前記第２複数尾根は、前記第１複数溝に沿ってスライドできる縦の移動のためにサイズ及び形状が形作られる
ことを特徴とする請求項８に記載のねじ回し器。
【請求項１５】
前記コアは後ベース部を有していることを特徴とする請求項１４に記載のねじ回し器。
【請求項１６】
前記ベース部の外表面において交互に配置される第３の縦に延びる複数の尾根及び溝をさらに備え、
（ i ）前記第３複数尾根は、前記第２複数溝に沿ってスライドできる縦の移動のためにサイズ及び形状が形作られ、
（ ii）前記第２複数尾根は、前記第３複数溝に沿ってスライドできる縦の移動のためにサイズ及び形状が形作られる
ことを特徴とする請求項１５に記載のねじ回し器。
【請求項１７】
前記シャフトは前記内側スリーブの先端において保持されることを特徴とする請求項８に記載のねじ回し器。
【請求項１８】
（ａ）前記コアは前方に突き出る柄をさらに備え、
（ｂ）前記柄及び前記シャフトは、六角形状の開口部を有するとともに、前記ビット交換スロットが前記ビット格納穴のうちの隣接する一つに配置されるときはいつでも六角形状に揃えられ、
（ｃ）前記ツールビットは、前記柄又は前記シャフト開口部のいずれか一方の六角形状の断面よりも小さい六角形状の断面を有する
ことを特徴とする請求項２に記載のねじ回し器。
【請求項１９】
（ａ）前記コアは前方に突き出る柄をさらに備え、
（ｂ）前記コア開口部は前記ツールビットの最大断面よりも小さい断面を有する
ことを特徴とする請求項７に記載のねじ回し器。
【請求項２０】
前記第１、前記第２及び前記第３複数尾根及び溝は、前記ビット交換スロットが前記ビット格納空間のうちの一つに揃えられる前記内側スリーブに関して前記外側スリーブがいつでも伸縮自在でスライド可能に移動できるように、互いに揃えられることを特徴とする請求項１６に記載のねじ回し器。
【請求項２１】
前記コアにおいて前方に突き出る柄をさらに備え、前記柄は、前記シャフトにおける後ベース内に自ら中心にかみ合わせるための前リムを有することを特徴とする請求項１に記載のねじ回し器。
【請求項２２】
前記ハンドグリップの前記後端における後方に突き出る柄をさらに備えることを特徴とする請求項１に記載のねじ回し器。
【請求項２３】
前記押し棒後端は前記柄内に置かれて固定されることを特徴とする請求項２２に記載のねじ回し器。
【請求項２４】
（ａ）開口部を有するコアと、
（ｂ）前記コアに関して回転可能のビット格納部と、
（ｃ）前記ビット格納部内に備えられた複数のビット格納空間と、
（ｄ）前記コアを通ってスライド可能に移動できる押し棒と、
（ｅ）前記押し棒の後端におけるハンドグリップと、
（ｆ）レバーアーム磁石を有し、前記押し棒に連結されるとともに前記ビット格納空間のうちの選択された一つの方に傾けられるレバーアームと、
（ｇ）開口部を有し、前記コアの先端から前記押し棒に同軸に揃えて延びるシャフトと
を備えるねじ回し器であって、
（ i ）前記押し棒は、伸びた位置と引っ込んだ位置との間で前記コアを通って、且つ、前記ビット格納部を通ってスライド可能に移動でき、
（ ii）前記押し棒が前記伸びた位置にあるとき、
（１）前記レバーアーム磁石は、前記ビット格納空間の後方に配置され、
（２）前記コアは、前記ビット格納空間のうちの隣接する前記選択された一つに前記ビット交換アームを配置するために前記ビット格納部に関して回転可能であり、
（３）前記レバーアームは、前記ビット格納空間のうちの前記選択された一つに配置されるツールビットを前記レバーアームに磁気によって引きつけて、前記ビット格納空間のうちの前記選択された一つの方に伸ばされ、
（iii）前記伸びた位置から前記引っ込んだ位置への前記押し棒の移動にあたり、
（１）前記コアは、前記ビット格納部に関して回転不可能であり、
（２）前記押し棒は、前記レバーアーム、及び前記ビット格納空間のうちの前記選択された一つから離れるとともに前記シャフトに同軸に揃えて前記磁気によって引きつけられたツールビットを押し、
（３）前記押し棒は、前記磁気によって引きつけられたツールビットが前記シャフトの開放先端を通って突き出るまで、前記シャフトの中に前記磁気によって引きつけられたツールビットを前方に押して、前方に押されるねじ回し器。
【請求項２５】
前記コアにおいてビット交換スロットをさらに備えることを特徴とする請求項２４に記載のねじ回し器。
【請求項２６】
前記引っ込んだ位置から前記伸びた位置への前記押し棒の移動にあたり、前記レバーアーム磁石は、前記押し棒が後方に引かれるときに前記ツールビットを磁気によって保持し、これにより隣接する前記ビット交換スロット及び前記ビット格納空間のうちの前記選択された一つに前記ツールビットを配置するために前記シャフトを通って前記ツールビットを後方に引くことを特徴とする請求項２５に記載のねじ回し器。
【請求項２７】
前記ビット交換スロットの方へ通って前記レバーアームを傾けるために前記レバーアームと前記押し棒との間に連結される第１スプリングをさらに備えることを特徴とする請求項２６に記載のねじ回し器。
【請求項２８】
前記伸びた位置から前記引っ込んだ位置への前記押し棒の前記移動は、前記第１スプリングの傾斜に打ち勝って、前記押し棒に軸上に揃えて前記レバーアームを旋回することを特徴とする請求項２７に記載のねじ回し器。
【請求項２９】
前記引っ込んだ位置から前記伸びた位置への前記押し棒の前記移動は前記ビット格納穴の後方に前記レバーアームを配置し、そうすると前記第１スプリングは、前記ビット格納空間のうちの前記選択された一つに前記ツールビットを磁気によって移動させて、前記ビット交換スロットの方へ通って前記レバーアームを傾けることを特徴とする請求項２８に記載のねじ回し器。
【請求項３０】
（ａ）前記各ビット格納空間は、前記ビット格納部の先端においてビット格納穴をさらに備え、
（ｂ）前記コアは、前記ビット格納穴のためのツールビットベース支持を形成する前方面を有していることを特徴とする請求項２９に記載のねじ回し器。
【請求項３１】
（ａ）前記ハンドグリップは外側スリーブをさらに備え、
（ｂ）前記ビット格納部は前記外側スリーブ内で伸縮自在にスライドできる内側スリーブをさらに備えることを特徴とする請求項２４に記載のねじ回し器。
【請求項３２】
前記内側スリーブにおいて前記コアを回転可能に保持するためのコア保持部材をさらに備えることを特徴とする請求項３１に記載のねじ回し器。
【請求項３３】
（ａ）前記コアにおける穴と、
（ｂ）前記レバーアームの後端における止め部と
をさらに備えることを特徴とする請求項３２に記載のねじ回し器。
【請求項３４】
前記引っ込んだ位置から前記伸びた位置への前記押し棒の前記移動は隣接する前記穴に前記止め部を配置し、そうすると前記第１スプリングは、前記穴の方に及び前記穴の中に前記止め部を傾け、これにより前記押し棒のさらに後方への移動を防ぐことを特徴とする請求項３３に記載のねじ回し器。
【請求項３５】
前記伸びた位置から前記引っ込んだ位置への前記押し棒の前記移動にあたり、前記穴の先端は、前記止め部と接触し、前記第１スプリングの傾斜に打ち勝ち、また前記押し棒の方に前記止め部を移動させ、これにより前記押し棒の前方への移動を許すことを特徴とする請求項３４に記載のねじ回し器。
【請求項３６】
（ａ）前記コアにおける外側のくぼみにおいて配置される第２スプリングと、
（ｂ）前記第２スプリングと前記内側スリーブの前記内表面との間に配置される保持部材とを備え、前記内側スリーブに関する前記コアの回転にあたり、前記第２スプリングは、前記内側スリーブの前記内表面に形成された複数の溝のうちの一つに前記保持部材を傾けることを特徴とする請求項３５に記載のねじ回し器。
【請求項３７】
（ａ）前記内側スリーブの外表面において交互に配置される第１の縦に延びる複数の尾根及び溝と、
（ｂ）前記外側スリーブの内表面において交互に配置される第２の縦に延びる複数の尾根及び溝とをさらに備え、
（ i ）前記第１複数尾根は、前記第２複数溝に沿ってスライドできる縦の移動のためにサイズ及び形状が形作られ、
（ ii）前記第２複数尾根は、前記第１複数溝に沿ってスライドできる縦の移動のためにサイズ及び形状が形作られる
ことを特徴とする請求項３１に記載のねじ回し器。
【請求項３８】
前記コアは後ベース部を有していることを特徴とする請求項３７に記載のねじ回し器。
【請求項３９】
前記ベース部の外表面において交互に配置される第３の縦に延びる複数の尾根及び溝をさらに備え、
（ i ）前記第３複数尾根は、前記第２複数溝に沿ってスライドできる縦の移動のためにサイズ及び形状が形作られ、
（ ii）前記第２複数尾根は、前記第３複数溝に沿ってスライドできる縦の移動のためにサイズ及び形状が形作られる
ことを特徴とする請求項３８に記載のねじ回し器。
【請求項４０】
前記シャフトは前記内側スリーブの先端において保持されることを特徴とする請求項３１に記載のねじ回し器。
【請求項４１】
（ａ）前記コアは前方に突き出る柄をさらに備え、
（ｂ）前記柄及び前記シャフトは、六角形状の開口部を有するとともに、前記ビット交換スロットが前記ビット格納穴のうちの隣接する一つに配置されるときはいつでも六角形状に揃えられ、
（ｃ）前記ツールビットは、前記柄又は前記シャフト開口部のいずれか一方の六角形状の断面よりも小さい六角形状の断面を有する
ことを特徴とする請求項２５に記載のねじ回し器。
【請求項４２】
（ａ）前記コアは前方に突き出る柄をさらに備え、
（ｂ）前記コア開口部は前記ツールビットの最大断面よりも小さい断面を有する
ことを特徴とする請求項３０に記載のねじ回し器。
【請求項４３】
前記第１、前記第２及び前記第３複数尾根及び溝は、前記ビット交換スロットが前記ビット格納空間のうちの一つに揃えられる前記内側スリーブに関して前記外側スリーブがいつでも伸縮自在でスライド可能に移動できるように、互いに揃えられることを特徴とする請求項３９に記載のねじ回し器。
【請求項４４】
前記コアにおいて前方に突き出る柄をさらに備え、前記柄は、前記シャフトにおける後ベース内に自ら中心にかみ合わせるための前リムを有することを特徴とする請求項２４に記載のねじ回し器。
【請求項４５】
前記ハンドグリップの前記後端における後方に突き出る柄をさらに備えることを特徴とする請求項２４に記載のねじ回し器。
【請求項４６】
前記押し棒後端は前記柄内に置かれて固定されることを特徴とする請求項４５に記載のねじ回し器。
【手続補正２】
【補正対象書類名】明細書
【補正対象項目名】０００４
【補正方法】変更
【補正の内容】
【０００４】
（発明の要約）
本発明は、一実施形態において、ビット格納部及びハンドグリップをそれぞれ形成する伸縮自在にスライドできる内側及び外側のスリーブを有しているねじ回し器を提供する。複数のビット格納穴は、各穴にツールビットが格納され得るように、内側スリーブの内側周辺において形成される。開口部を有するコアは、内側スリーブ内で縦に延びており、外部スリーブ内で延びるとともに外部スリーブによってスライド可能に支持されるベース部に連結される。開口部を有するシャフトは、コアの開口部と同軸に揃えてコアの先端から延びる。押し棒の後端は、内側スリーブ、コア及びシャフトを通って押し棒が縦に同軸で押され得るように、外側スリーブの後端に固定される。一実施態様において、磁石は押し棒の先端で支持される。押し棒はそれ自身磁化され得るということ、或いは他の磁石手段は、押し棒の先端がメタルツールビットに磁気によって連結するように、使用されるということがさらに熟考される。コアは、ビット交換スロットが提供される柄であって、前に突き出している、開口部を有する柄を有している。磁気レバーアームはコアに連結され、ビット交換スロットの方に傾けられる。押し棒は、伸びた位置と引っ込んだ位置との間でコア及び内側スリーブを通ってスライド可能に移動することができる。
【手続補正３】
【補正対象書類名】明細書
【補正対象項目名】０００５
【補正方法】変更
【補正の内容】
【０００５】
押し棒が伸びた位置にあるとき、押し棒磁石手段は、ビット格納穴の後方に配置され、コアは、隣接する選択されたビット格納穴にビット交換スロットに配置するために内側スリーブに関して回転されることができ、また、レバーアームは、選択されたビット格納穴において配置されたツールビットをレバーアームに磁気によって引きつけて、ビット交換スロットの方へ通って旋回するように傾けられる。押し棒が伸びた位置から引込んだ位置に移動されるときに、それは、最初に、レバーアーム、及びビット交換スロットを通ってコアの中に、選択されたビット格納穴から離れて磁気によって引きつけられたツールビットを押す。このとき、押し棒の磁石は、ツールビットの後端の前方に押され、押し棒磁石の方にツールビットを磁気によって引きつける。その後、押し棒は、ツールビットがシャフトの開放先端を通って突き出るまで、コア及びシャフトを通ってツールビットを前方に押して、コア及びシャフトを通って押される。
【手続補正４】
【補正対象書類名】明細書
【補正対象項目名】００１７
【補正方法】変更
【補正の内容】
【００１７】
操作においては、人を楽しませるねじ回し器１０は図３に描かれた位置であって組み立てられて引込んだ位置にあり、使用者が一方の手でシャフト５８をつかみ、他方の手で外側スリーブ１２をつかむ。このとき、外側スリーブ１２は、図２に示すように、押し棒３６の先細部９３が第２くぼみ９６に隣接している、伸びた位置に後方へ引かれ、そうすると、第２スプリング９８が先細部９３に止め部９４を径方向内側に押す。先細部９３の先端で径方向に突き出るリム１０４は、押し棒３６又は外側スリーブ１２のさらに後方への移動を防いで、止め部９４に接触する。この引く動作はまた、図２に示すように、セレクターコア４６の前方面５６の後方に配置された押し棒磁石４４を残しておき、シャフト５８及び柄５４を通って、後方に押し棒３６を引き出し、そして、お互いに関してスリーブ１２，１４の同軸の回転を許して、内側スリーブ１４の後端２０の後方に外側スリーブ１２の先端１８を配置する。スリーブ１２，１４がビットを選択するために回転されるときに、レバーアーム８０は、内側に傾いた先端９１がツールビット７０に出合うように、回転する。
【手続補正５】
【補正対象書類名】図面
【補正対象項目名】全図
【補正方法】変更
【補正の内容】
【図１】
2004520951.tif 000001
【図２】
2004520951.tif 000002
【図３】
2004520951.tif 000003
【図４】
2004520951.tif 000004
【図５】
2004520951.tif 000005
【図６】
2004520951.tif 000006
【図７】
2004520951.tif 000007
【図８】
2004520951.tif 000008
【図９】
2004520951.tif 000009
【図１０】
2004520951.tif 000010
【図１１】
2004520951.tif 000011